(57)【特許請求の範囲】
【請求項１】
レンズ（１）と、このレンズ（１）を保持するレンズ保持部材（２）と、このレンズ保持部材（２）を着用者の頭部に保持する頭部保持部材（３）とからなり、
前記レンズ保持部材（２）の下部に、少なくとも着用者の口部を覆う被覆体（８）を着脱自在としたアタッチメント（９）を備えたものとし、
前記レンズ保持部材（２）とアタッチメント（９）とを凹凸嵌合したものとし、
前記レンズ保持部材（２）またはアタッチメント（９）の凹凸嵌合部に前記被覆体（８）の一部を挟み込んで、これらレンズ保持部材（２）とアタッチメント（９）との間に前記被覆体（８）を保持するようにしたことを特徴とする眼用保護具。
【請求項２】
前記レンズ保持部材（２）に嵌合凹部（１０）を設けると共に、前記アタッチメント（９）に嵌合凸部（１３）を設けて、レンズ保持部材（２）とアタッチメント（９）とを凹凸嵌合したことを特徴とする請求項１記載の眼用保護具。
【請求項３】
前記嵌合凹部（１０）を、レンズ保持部材（２）の下部の略中央に設けると共に、前記嵌合凸部（１３）を、アタッチメント（９）の上部の略中央に設けたものとしたことを特徴とする請求項２記載の眼用保護具。
【請求項４】
前記アタッチメント（９）に、前記被覆体（８）の挿入空間（Ｓ）を設けたことを特徴とする請求項１〜３のいずれかに記載の眼用保護具。
【請求項５】
前記アタッチメント（９）を、レンズ保持部材（２）の下部の前方に突き出したものとしたことを特徴とする請求項１〜４のいずれかに記載の眼用保護具。
【請求項６】
前記アタッチメント（９）を、レンズ保持部材（２）との接合部（９ａ）と、被覆体（８）の取付け部（９ｂ）とを一体として形成したものとしたことを特徴とする請求項１〜５のいずれかに記載の眼用保護具。
【請求項７】
前記アタッチメント（９）の接合部（９ａ）と取付け部（９ｂ）の間に前記挿入空間（Ｓ）を設けたことを特徴とする請求項４記載の眼用保護具。
【請求項８】
前記挿入空間（Ｓ）の後方に通気孔（１５）を設けたことを特徴とする請求項４又は７記載の眼用保護具。
【請求項９】
前記被覆体（８）が柔軟性を有する部材からなることを特徴とする請求項１〜８のいずれかに記載の眼用保護具。
【発明の詳細な説明】
【技術分野】
【０００１】
この発明は、スキー、スノーボード、雪掻き作業などを行う場合や、バイク、バギー等モータースポーツを行う場合や、カヌー、ヨット、サーフィン等のウォータースポーツを行う場合などに適した眼用保護具に関するものである。
【背景技術】
【０００２】
従来、スキー、スノーボード、雪掻き作業などを行う場合や、バイク、バギー等のモータースポーツを行う場合や、カヌー、ヨット、サーフィン等のウォータースポーツを行う場合には、これらを行うのに適したゴーグル等の眼用保護具と、ハーフマスク状のフェイスフード、バンダナ、ネックウォーマー等の被覆体とは、それぞれを着用者の顔面に別々に装着していた。
【０００３】
さらに従来から、ゴーグル等の眼用保護具として、図１８に示したような、マスク取り付け機構を備えたものが存在する（特許文献１）。
【０００４】
この眼用保護具は、マスク２１がフックアセンブリ２２によって取り付けられるようにしている。フックアセンブリ２２は、複数のフックコネクタ２３を備えている。さらに、各フックコネクタ２３の結合端２４には、マスク２１の周縁部分２５に着脱自在に結合されたファスナ２６が結合されている。各フックコネクタ２３は、ファスナ２６との結合端２４とは反対側の端部に、フック２７を有している。そして、各フック２７は、例えば、ゴムや磁石などの結合機構を有することができ、コード２８が、各結合端２４と各フック２７との間に延びることが望ましいとしている。
【先行技術文献】
【特許文献】
【０００５】
【特許文献１】特表２００９−５３５０７９号公報
【発明の概要】
【発明が解決しようとする課題】
【０００６】
しかしながら、上記従来のように眼用保護具と被覆体とを、着用者の顔面に別々に装着すると、眼用保護具と被覆体との間には、隙間が生じてしまい、顔面を日焼けや寒さから完全に保護することができないという問題点を有していた。
【０００７】
さらに、上記従来のマスク取り付け機構を備えた眼用保護具では、装着時にマスク２１が着用者の鼻部や口部にフィットさせ、これらの部分とマスク２１との間に隙間が生じないようにするには、フックアセンブリ２２の各フックコネクタ２３と、眼用保護具のテンプルピース２９との結合位置の微調整を行わなければならず、装着するのに時間が掛かったり、面倒であるという問題点を有していた。
【０００８】
また、上記従来のマスク取り付け機構を備えた眼用保護具では、装着時にマスク２１が着用者の鼻部や口部に近づき過ぎているので、呼吸がし難くなるという問題点を有していた。
【０００９】
さらに、上記従来のマスク取り付け機構を備えた眼用保護具では、着用者の顔面への固定は良好に維持されるが、レンズの曇り防止については何の考慮もされておらず、着用者の呼気によってレンズが曇ってしまうという問題点を有していた。
【００１０】
そこで、この発明は、上記従来の問題点を解決することをその課題としており、少なくとも着用者の口部を覆う被覆体、例えばハーフマスク状のフェイスフード、バンダナ、ネックウォーマー等を一体装着し、これら被覆体との間には、隙間が生じることがなく、これら被覆体と共に装着したり脱着したりするのにも時間が掛からず、容易に装着したり脱着したりすることができ、さらに装着時に呼吸がし難くなることがなく、しかもレンズの曇りを防止することのできる眼用保護具を提供することを目的としてなされたものである。
【課題を解決するための手段】
【００１１】
この発明の眼用保護具は、レンズ１と、このレンズ１を保持するレンズ保持部材２と、このレンズ保持部材２を着用者の頭部に保持する頭部保持部材３とからなり、前記レンズ保持部材２の下部に、少なくとも着用者の口部を覆う被覆体８を着脱自在としたアタッチメント９を備えたものとし、前記レンズ保持部材２とアタッチメント９とを凹凸嵌合したものとし、前記レンズ保持部材２またはアタッチメント９の凹凸嵌合部に前記被覆体８の一部を挟み込んで、これらレンズ保持部材２とアタッチメント９との間に前記被覆体８を保持するようにしている。
【００１２】
そして、この発明の眼用保護具は、前記レンズ保持部材２に嵌合凹部１０を設けると共に、前記アタッチメント９に嵌合凸部１３を設けて、レンズ保持部材２とアタッチメント９とを凹凸嵌合したものとしている。
【００１３】
さらに、この発明の眼用保護具は、前記嵌合凹部１０を、レンズ保持部材２の下部の略中央に設けると共に、前記嵌合凸部１３を、アタッチメント９の上部の略中央に設けたものとしている。
【００１４】
また、この発明の眼用保護具は、前記アタッチメント９に、前記被覆体８の挿入空間Ｓを設けたものとしている。
【００１５】
さらに、この発明の眼用保護具は、前記アタッチメント９を、レンズ保持部材２の下部の前方に突き出したものとしている。
【００１６】
また、この発明の眼用保護具は、前記アタッチメント９を、レンズ保持部材２との接合部９ａと、被覆体８の取付け部９ｂとを一体として形成したものとしている。
【００１７】
さらに、この発明の眼用保護具は、前記アタッチメント９の接合部９ａと取付け部９ｂの間に前記挿入空間Ｓを設けたものとしている。
【００１８】
また、この発明の眼用保護具は、前記挿入空間Ｓの後方に通気孔１５を設けたものとしている。
【００１９】
さらに、この発明の眼用保護具は、前記被覆体８が柔軟性を有する部材からなるものとしている。
【発明の効果】
【００２０】
この発明の眼用保護具は、以上に述べたように構成されており、眼用保護具と被覆体との間には、隙間が生じることがないので、着用者の顔面を日焼けや寒さから完全に保護することができるものとなる。
【００２１】
さらに、この発明の眼用保護具は、装着したり脱着したりするのにも時間が掛からず、容易に装着したり脱着したりすることができるので、非常に便利で取り扱い易いものとなる。
【００２２】
また、この発明の眼用保護具は、装着時に呼吸がし難くなることはなく、装着感に優れたものとなる。
【００２３】
さらに、この発明の眼用保護具は、着用時にレンズが曇ることなく、常に視界が良好な状態となる。
【図面の簡単な説明】
【００２４】
【図１】この発明の眼用保護具の一実施形態を斜め上から見た状態の斜視図である。
【図２】図１に示すこの発明の眼用保護具の正面図である。
【図３】図１に示すこの発明の眼用保護具の背面図である。
【図４】図１に示すこの発明の眼用保護具の側面図である。
【図５】図１に示すこの発明の眼用保護具からアタッチメントを外した状態の分解斜視図である。
【図６】図１に示すこの発明の眼用保護具からアタッチメントを外した状態の底面図である。
【図７】図１に示すこの発明の眼用保護具のアタッチメントを前方斜め上から見た状態の分解斜視図である。
【図８】図１に示すこの発明の眼用保護具のアタッチメントを後方斜め上から見た状態の分解斜視図である。
【図９】この発明の眼用保護具の図１中のＡ−Ａ線断面図である。
【図１０】この発明の眼用保護具に被覆体を装着するときの操作状態（第一段階）を示す説明図である。
【図１１】この発明の眼用保護具に被覆体を装着するときの操作状態（第一段階）を示す断面説明図である。
【図１２】この発明の眼用保護具に被覆体を装着するときの操作状態（第二段階）を示す断面説明図である。
【図１３】この発明の眼用保護具に被覆体を装着するときの操作状態（第三段階）を示す断面説明図である。
【図１４】この発明の眼用保護具に被覆体を装着し終わった状態を示す斜視図である。
【図１５】この発明の眼用保護具の他の実施形態を斜め上から見た状態の斜視図である。
【図１６】図１５に示すこの発明の眼用保護具からアタッチメントを外した状態の分解斜視図である。
【図１７】図１５に示すこの発明の眼用保護具に被覆体を装着し終わった状態を示す斜視図である。
【図１８】従来の眼用保護具の一例を示しており、マスク取り付け機構を備えたゴーグルの側面図である。
【発明を実施するための形態】
【００２５】
以下、この発明の眼用保護具を実施するための形態を、図面に基づいて詳細に説明する。
【００２６】
この発明の眼用保護具は、図１〜９、図１５、１６に示したように、レンズ１と、このレンズ１を保持するレンズ保持部材２と、このレンズ保持部材２を着用者の頭部に保持する頭部保持部材３とからなる。
【００２７】
レンズ１は、平面状に形成してもよいが、図示したものでは、中央部が両端部よりも突出する凸形状に形成されている。さらに、レンズ１は、一枚もののシングルレンズとしているが、外レンズと内レンズとからなる二重構造のダブルレンズ等にしてもよい。
【００２８】
レンズ保持部材２は、図１〜９に示したものでは、弾性合成樹脂、ゴム等の軟質材から成り、カップ状などとして着用者の眼との間に適宜通気空間を形成するものとしており、前部にレンズ１を嵌め込んでおり、後部に顔面との密接を良好なものとするためのスポンジ等の密接部材４が取り付けられている。さらに、レンズ保持部材２の上部及び下部には、通気孔５が設けられており、これら通気孔５は、風雨や雪が内部に直接、入らないようにしたり、塵や埃が入らないようにするために通気性の蓋部材６で閉じている。
【００２９】
また、レンズ保持部材２は、図１５、１６に示したもののように、レンズ１と一体成形されたものとしてもよい。この場合のレンズ保持部材２の材質は、硬質合成樹脂などレンズ１と同様の材質とすることができる。なお、図示したレンズ保持部材２は、通気孔５を設けたものとしていないが、必要に応じてレンズ保持部材２の上部や下部に通気孔５が設けられるのはいうまでもない。
【００３０】
さらに、レンズ保持部材２の下部は、着用者の鼻が位置する中央部分を凹湾曲させた支持部７としており、この支持部７及び支持部７の左右に、後に述べるような被覆体８を着脱自在としたアタッチメント９を凹凸嵌合しておくための凹嵌合部１０を設けたものとしている。なお、レンズ保持部材２の下部には、凹嵌合部１０に代えて凸嵌合部（図示せず）を設けたものとしてもよい。凹嵌合部１０は、孔や溝、窪部などとしたり、凸嵌合部は、小突起などとしており、これらは、それぞれをレンズ保持部材２の支持部７に一個、この支持部７の左右にそれぞれ二個、形成したものとしている。
【００３１】
頭部保持部材３は、図１〜９に示したものでは、伸縮自在で長さ調整可能としたバンド体としており、レンズ保持部材２の両端部に形成した取付孔１１に着脱自在として取り付けたものとしており、それぞれのバント体は、バックル１２を介して連結したものとしている。さらに、頭部保持部材３は、図１５、１６に示したものでは、弾性変形可能としたテンプルとしており、レンズ保持部材２の両端部に回動自在として取り付けたものとしている。
【００３２】
そして、この発明の眼用保護具は、図１〜９、図１５、１６に示したように、レンズ保持部材２の下部に、少なくとも着用者の口部を覆う被覆体８を着脱自在としたアタッチメント９を備えたものとしている。
【００３３】
被覆体８は、フェイスフード、バンダナ、ネックウォーマー等としており、通気性や非通気性とした柔軟性を有する布状部材からなるものとするのが、後に述べるように、アタッチメント９に着脱自在として装着し易いものとなる。
【００３４】
アタッチメント９は、装着した被覆体８を着用者の顔面に余り近付けないように、レンズ保持部材２の下部の前方に突き出したものとしており、ウレタン樹脂などの弾性を有する樹脂からなり、シェア硬度を９０度以上にしており、レンズ保持部材２との接合部９ａと、被覆体８の取付け部９ｂとを一体として形成したものとしている。
【００３５】
接合部９ａは、左右に分離したものとして、レンズ保持部材２の下部に沿った形状としており、レンズ保持部材２の下部に設けた凹嵌合部１０と凹凸嵌合する凸嵌合部１３を設けたものとしている。凸嵌合部１３としては、固定ピン、小突起などとすることができるが、これらに限定されるものではない。また、図示していないが、レンズ保持部材２の下部に凸嵌合部１３を設けておき、この凸嵌合部１３と凹凸嵌合する凹嵌合部１０を接合部９ａに設けたものとしてもよい。この接合部９ａは、レンズ保持部材２の下部から着用者の呼気が入るのを防止し、レンズ１に曇りが発生しないようにしている。
【００３６】
取付け部９ｂは、着用者の鼻が当接する中央部分を凹湾曲させた当接部１４としており、この当接部１４にレンズ保持部材２の支持部７に設けた凹嵌合部１０と凹凸嵌合する凸嵌合部１３を設けたものとし、凹嵌合部１０に被覆体８の一部を押し込んで、この凹嵌合部１０に凸嵌合部１３を嵌合できるようにしている。また、図示していないが、レンズ保持部材２の支持部７に凸嵌合部１３を設けておき、この凸嵌合部１３と凹凸嵌合する凹嵌合部１０を取付け部９ｂの当接部１４に設けたものとしてもよい。
【００３７】
さらに、取付け部９ｂは、接合部９ａとの間に挿入空間Ｓを設けており、この挿入空間Ｓに被覆体８の一部を差し込んで、被覆体８を取り付けておくようにしている。なお、挿入空間Ｓは、必要に応じて、後方に通気孔１５を設けたものとしている。この通気孔１５も、着用者の呼気を外に逃がし、接合部９ａと併せてレンズ保持部材２の下部から着用者の呼気が入るのを防止し、レンズ１に曇りが発生しないようにしている。
【００３８】
また、取付け部９ｂは、差し込んだ被覆体８が抜けないように一個又は複数個の係止爪１６を設けたものとしている。さらに、接合部９ａにも、差し込んだ被覆体８が抜けないように一個又は複数個の係止爪１６を設けたものとしている。この接合部９ａに設けた係止爪１６は、取付け部９ｂに設けた係止爪１６に対向する位置にしたり、対抗しない位置にすることができる。
【００３９】
以上のように構成されたこの発明の眼用保護具は、以下に述べるようにして、フェイスフード、バンダナ等の被覆体と一体装着することができる。
【００４０】
先ず、図１に示した状態の眼用保護具のアタッチメント９の取付け部９ｂの当接部１４を手指で摘み、前方へ引っ張ると、この当接部１４の凸嵌合部１３が、レンズ保持部材２の凹嵌合部１０から外れ、図１０、１１に示したように、レンズ保持部材２の前方に露出する。
【００４１】
次に、レンズ保持部材２の前方に露出した当接部１４の凸嵌合部１３に、図１２に示したように、被覆体８の鼻に当たる部分８ａの上端部（例えば、ハーフマスク上端の中央部）をあてがい、この状態を保ったままレンズ保持部材２側に押し込み、当接部１４の凸嵌合部１３をレンズ保持部材２の凹嵌合部１０に嵌め込む。
【００４２】
すると、被覆体８の鼻に当たる部分８ａの上端部は、レンズ保持部材２の凹嵌合部１０に押し込まれ、この凹嵌合部１０と凸嵌合部１３との間に挟まれた状態となり、図１３に示したように、被覆体８は、レンズ保持部材２とアタッチメント９との間に保持することができる。
【００４３】
そして、この状態の眼用保護具を着用し、被覆体８の鼻に当たる部分８ａの上端部左右８ｂを、この着用した眼用保護具のアタッチメント９の接合部９ａと取付け部９ｂとの間の挿入空間Ｓに差し込み、さらに被覆体８の上端部左右８ｂの延長部８ｃを、図１４に示したように、着用者の頭部の後で括ったり、この延長部８ｃに設けた面接着テープ等の止着具（図示せず）で止着する。
【００４４】
このようにすると、眼用保護具のアタッチメント９の接合部９ａと取付け部９ｂとの間の挿入空間Ｓに差し込まれた被覆体８の上端部左右８ｂは、アタッチメント９の接合部９ａと取付け部９ｂに設けた係止爪１６によって係止されるので、緩んだりして挿入空間Ｓから外れることがない。
【００４５】
したがって、この発明の眼用保護具では、被覆体８との間に隙間が生じることがなく、着用者の顔面を日焼けや寒さから完全に保護することができるものとなる。
【００４６】
さらに、この発明の眼用保護具では、上記したように被覆体８を眼用保護具と一体装着することができるので、装着したり脱着したりするのにも時間が掛からず、容易に装着したり脱着したりすることができ、非常に便利で取り扱い易いものとなる。
【００４７】
また、この発明の眼用保護具は、レンズ保持部材２の下部の前方に突き出したアタッチメント９により、装着した被覆体８を着用者の顔面に余り近付けないようにしているので、着用者の呼吸がし難くなることはなく、装着感に優れたものとなる。
【００４８】
さらに、この発明の眼用保護具の防曇性能試験として、上記したように被覆体８を眼用保護具と一体装着した場合と、従来の眼用保護具と被覆体８をそれぞれ別々に装着した場合とで、スキー場での下記条件下において、レンズに曇りが発生するまでの時間を測定したところ、次の結果を得た。
【００４９】
スキー場：新潟県湯沢パークスキー場
気象条件：気温  ６. ８℃、湿度  ３３％、天候  曇り
実施方法：スキー板を持った状態で、ゲレンデ脇をハイクアップした。
試験結果：上記したように被覆体８を眼用保護具と一体装着した場合には、３０分以上
経過してもレンズに曇りが発生しなかったが、従来の眼用保護具と被覆体８
をそれぞれ別々に装着した場合には、２７分以上経過するとレンズに曇りが
発生した。
【００５０】
すなわち、この発明の眼用保護具では、アタッチメント９の接合部９ａと、挿入空間Ｓの後方の通気孔１５とによって、着用者の呼気がレンズ保持部材２内に侵入しにくくなっている。
【００５１】
したがって、この発明の眼用保護具は、上記したように被覆体８を眼用保護具と一体装着した状態で着用しても、レンズが曇ることなく、常に視界が良好な状態となる。
【符号の説明】
【００５２】
１  レンズ
２  レンズ保持部材
３  頭部保持部材
８  被覆体
９  アタッチメント
９ａ  接合部
９ｂ  取付け部
１０  凹嵌合部
１３  凸嵌合部
１５  通気孔
Ｓ  挿入空間
【図１】
0005877465.tif 000002
【図２】
0005877465.tif 000003
【図３】
0005877465.tif 000004
【図４】
0005877465.tif 000005
【図５】
0005877465.tif 000006
【図６】
0005877465.tif 000007
【図７】
0005877465.tif 000008
【図８】
0005877465.tif 000009
【図９】
0005877465.tif 000010
【図１０】
0005877465.tif 000011
【図１１】
0005877465.tif 000012
【図１２】
0005877465.tif 000013
【図１３】
0005877465.tif 000014
【図１４】
0005877465.tif 000015
【図１５】
0005877465.tif 000016
【図１６】
0005877465.tif 000017
【図１７】
0005877465.tif 000018
【図１８】
0005877465.tif 000019